(57)【要約】【課題】電子機器の押ボタンスイッチ装置において、筐体側や回路基板側での静電対策が不要であり、押ボタン部の構造によって静電対策を可能とした。【解決手段】押ボタンスイッチ装置６は、回路基板２５に実装されるスイッチ２１と、スイッチ２１をスイッチング動作させる押ボタン部２２とを備え、押ボタン部２２は、ボス３２と壁部３３とを有している。ボス３２は、押ボタン部２２の下面２２ｂのスイッチ２１を囲む複数の位置に突出して一体に形成されており、壁部３３は、スイッチ２１の全周囲を囲むように、ボス３２同士を繋いで押ボタン部２２の下面２２ｂから連続一体に形成されている。押ボタン部２２の頭部２２ａとスイッチ２１との間の沿面距離は、壁部３３の下端を回り込むことにより長くなり、これにより、押ボタン部２２の頭部２２ａとスイッチ２１との間の静電気の発生が防止される。【選択図】      図３
2005026053.tif 000002
【特許請求の範囲】
【請求項１】
電子機器の回路基板に実装されるスイッチと、前記スイッチの上方に弾性的に保持されており、頭部が押下操作されることにより下方に移動して前記スイッチをスイッチング動作させる絶縁材料から成る押ボタン部とを備え、前記押ボタン部は、該押ボタン部下面の前記スイッチを囲む複数の位置に突出して一体形成され、該押ボタン部の押下操作時に前記回路基板に当接して該押ボタン部の下方移動を規制するボスを有してなる電子機器の押ボタンスイッチ装置において、
前記押ボタン部は、前記スイッチの全周囲を囲むように前記ボス同士を繋いで前記押ボタン部の下面から連続一体に形成された壁部を有し、
前記壁部の存在により前記押ボタン部の頭部と前記スイッチとの間の沿面距離を長くして静電対策を施したことを特徴とする電子機器の押ボタンスイッチ装置。
【請求項２】
電子機器の回路基板に実装されるスイッチと、前記スイッチの上方に弾性的に保持されており、頭部が押下操作されることにより下方に移動して前記スイッチをスイッチング動作させる絶縁材料から成る押ボタン部とを備え、前記押ボタン部は、該押ボタン部下面の前記スイッチを囲む複数の位置に突出して一体形成され、該押ボタン部の押下操作時に前記回路基板に当接して該押ボタン部の下方移動を規制するボスを有してなる電子機器の押ボタンスイッチ装置において、
前記押ボタン部は、前記ボス同士を繋いで前記押ボタン部の下面から連続して形成された壁部を有し、
前記壁部の存在により前記押ボタン部の頭部と前記スイッチとの間の沿面距離を長くして静電対策を施したことを特徴とする電子機器の押ボタンスイッチ装置。
【請求項３】
前記壁部は、前記スイッチの全周囲を囲んでいる請求項２に記載の電子機器の押ボタンスイッチ装置。
【発明の詳細な説明】
【０００１】
【発明の属する技術分野】
本発明は、例えば画像表示プロジェクタやＡＶ機器等に用いられる電子機器の押ボタンスイッチ装置に関するものである。
【０００２】
【従来の技術】
従来から、例えば画像表示プロジェクタやＡＶ機器等の電子機器は、押ボタンスイッチを備ており、押ボタンスイッチの操作に応じて各種の機器動作を行うようになっている。これらの電子機器に用いられる押ボタン装置は、図４（ａ）（ｂ）に示すような構造のものが知られている。押ボタンスイッチ装置７０は、電子機器の回路基板７１に実装されるスイッチ７２と、スイッチ７２をスイッチング動作させる絶縁樹脂成形品でなる押ボタン部７３とを備えている。
【０００３】
押ボタン部７３は、脚部７４及び弾性を有するブリッジ部７５を介して回路基板７１に支持されており、スイッチ７２の上方にて、押ボタン部７３の頭部７３ａが電子機器の筐体７６の開口７６ａに露出された状態で弾性的に保持されている。また、押ボタン部７３は、スイッチ７２の作動ボタン７７を押し下げるための凸部７８と、回路基板７１に当接して押ボタン部７３の下方移動を規制するボス７９とを有している。凸部７８は、押ボタン部７３の下面７３ｂの略中央部に突出して形成されており、ボス７９は、押ボタン部７３の下面７３ｂのスイッチ７２を囲む複数の位置に突出して形成されている。
【０００４】
押ボタンスイッチ装置７０は、押ボタン部７３の頭部７３ａが押下操作されると、押ボタン部７３が下方に移動し、凸部７８がスイッチ７２の作動ボタン７７を押し下げることにより、スイッチ７２を作動させるようになっている。押ボタン部７３の押下操作時には、ボス７９が回路基板７１に当接し、押ボタン部７３の下方移動が規制されることにより、押ボタン部７３の押し過ぎを防止するようになっている。
【０００５】
また、このような構成の押ボタンスイッチ装置７０は、押ボタン部７３の押下操作時に、凸部７８と作動ボタン７７との接触点を介して、押ボタン部７３の頭部７３ａ（押ボタン部７３の押下操作のために触れられた箇所）とスイッチ７２との間に静電気を生じる虞がある。このため、一般に、筐体７６の内側の面に導電塗装を施したり、回路基板７１にジャンパー線を配置することにより静電対策を行っている。
【０００６】
一方、押ボタン本体の基端部から押ボタン本体の軸心方向と直交する方向に伸びる顎部の上面に、押ボタン本体を囲繞する環状壁部を突設することにより、静電対策を行った操作パネル装置が知られている（例えば、特許文献１参照）。また、押圧操作部の装着用の開口部に対応する箇所に、開口部を収容する膨張部を設けることにより、静電対策を行った操作キー装置が知られている（例えば、特許文献２参照）。また、操作ボタンに被着されたゴムスイッチ部に環状部を形成し、この環状部の外側端部に立ち上がり壁を設けることにより、静電気対策を行った押ボタンスイッチ装置が知られている（例えば、特許文献３参照）。
【０００７】
【特許文献１】
特開平１１−１６７４５８号公報
【特許文献２】
特開平１１−３０５３１０号公報
【特許文献３】
特開２００２−６３８２５号公報
【０００８】
【発明が解決しようとする課題】
ところで、上述した従来の押ボタンスイッチ装置７０は、小型化したり、複数の押ボタンスイッチ装置７０を密集させて電子機器に装備することが検討されている。ところが、押ボタン装置７０を小型化した場合には、筐体７６（押ボタン部７３の頭部）と回路基板７１との距離が近くなるために、筐体７６の内側の面に導電塗装を施すことが困難になる。また、複数の押ボタンスイッチ装置７０を密集させた場合には、回路基板７１の配線パターンの関係上、回路基板７１にジャンパー線を配置することが困難になる。従って、  押ボタンスイッチ７０を小型化し、さらに、複数の押ボタンスイッチ装置７０を密集させて配置した場合には、筐体７６への導電塗装や回路基板７１上のジャンパー線の配置等が行えず、静電対策を施せないというのが実情であった。
【０００９】
なお、上述した特許文献１乃至特許文献３に開示の装置は、何れも、押ボタン部の押し過ぎ防止用のボスが押ボタン部の下面に突出して形成された構造にはなっていない。従って、押し過ぎ防止用のボスが押ボタン部の下面に形成された押ボタンスイッチ装置に、これら特許文献１乃至特許文献３に開示の内容を適用したのでは、押ボタンスイッチ装置及び電子機器を小型化することはできず、上記の課題を解決することはできない。
【００１０】
本発明は、上記課題を解決するためになされたものであり、筐体側や回路基板側での静電対策が不要であり、押ボタン部の構造によって静電対策を可能とした電子機器の押ボタンスイッチ装置を提供することを目的とする。
【００１１】
【課題を解決するための手段】
上記目的を達成するために請求項１の発明は、電子機器の回路基板に実装されるスイッチと、スイッチの上方に弾性的に保持されており、頭部が押下操作されることにより下方に移動してスイッチをスイッチング動作させる絶縁材料から成る押ボタン部とを備え、押ボタン部は、該押ボタン部下面のスイッチを囲む複数の位置に突出して一体形成され、該押ボタン部の押下操作時に回路基板に当接して該押ボタン部の下方移動を規制するボスを有してなる電子機器の押ボタンスイッチ装置において、押ボタン部は、スイッチの全周囲を囲むようにボス同士を繋いで押ボタン部の下面から連続一体に形成された壁部を有し、壁部の存在により押ボタン部の頭部とスイッチとの間の沿面距離を長くして静電対策を施したものである。
【００１２】
この構成においては、押ボタン部の頭部から表面に沿ってスイッチに至る経路は、押ボタン部の下面から連続する壁部の存在により、壁部の下端を回り込むことになる。従って、押ボタン部の頭部とスイッチとの間の沿面距離は、壁部の下端を回り込む分だけ長くなり、これにより、押ボタン部の頭部とスイッチとの間の静電気の発生が防止される。しかも、壁部はスイッチの全周囲を囲むように形成されているため、押ボタン部の頭部から表面に沿ってスイッチに至る全ての経路が壁部の下端を回り込むことになり、静電気の発生がより確実に防止される。
このように、押ボタン部の構造を変えて、押ボタン部の下面から連続する壁部を形成するだけで、押ボタン部の頭部とスイッチとの間の静電気の発生が防止され、これにより、筐体に導電塗装を施したり回路基板にジャンパー線を配置することなく、静電対策を施すことができる。また、壁部はボス同士を繋いで形成されているので、押ボタンスイッチ装置の寸法は、静電対策のために大きくなることがない。
【００１３】
請求項２の発明は、電子機器の回路基板に実装されるスイッチと、スイッチの上方に弾性的に保持されており、頭部が押下操作されることにより下方に移動してスイッチをスイッチング動作させる絶縁材料から成る押ボタン部とを備え、押ボタン部は、該押ボタン部下面のスイッチを囲む複数の位置に突出して一体形成され、該押ボタン部の押下操作時に回路基板に当接して該押ボタン部の下方移動を規制するボスを有してなる電子機器の押ボタンスイッチ装置において、押ボタン部は、ボス同士を繋いで押ボタン部の下面から連続して形成された壁部を有し、壁部の存在により押ボタン部の頭部とスイッチとの間の沿面距離を長くして静電対策を施したものである。
【００１４】
この構成においては、押ボタン部の頭部から表面に沿ってスイッチに至る経路は、押ボタン部の下面から連続する壁部の存在により、壁部の下端を回り込むことになる。従って、押ボタン部の頭部とスイッチとの間の沿面距離は、壁部の下端を回り込む分だけ長くなり、これにより、押ボタン部の頭部とスイッチとの間の静電気の発生が防止される。このように、押ボタン部の構造を変えて、押ボタン部の下面から連続する壁部を形成するだけで、押ボタン部の頭部とスイッチとの間の静電気の発生が防止され、これにより、筐体に導電塗装を施したり回路基板にジャンパー線を配置することなく、静電対策を施すことができる。しかも、壁部はボス同士を繋いで形成されているので、押ボタンスイッチ装置の寸法は、静電対策のために大きくなることがない。
【００１５】
請求項３の発明は、請求項２に記載の電子機器の押ボタンスイッチ装置において、壁部は、スイッチの全周囲を囲んでいるものである。
【００１６】
この構成においては、壁部がスイッチの全周囲を囲んでいるため、押ボタン部の頭部から表面に沿ってスイッチに至る全ての経路が壁部を回り込むことになり、静電気の発生がより確実に防止される。
【００１７】
【発明の実施の形態】
以下、本発明を具体化した実施形態について図面を参照して説明する。図１及び図２において、画像表示プロジェクタ１は、パソコンやビデオカメラ等から入力される画像信号を基に、ランプ２から出射される画像投射用の光を用いて画像形成素子３により画像を形成し、その画像を投射レンズ４からスクリーン等に投射して表示する装置である。この画像表示プロジェクタ１は、上述のランプ２、画像形成素子３、及び投射レンズ４に加え、反射ミラー５と、押ボタンスイッチ装置６と、これらを内蔵する筐体１０とを備えている。
【００１８】
ランプ２は、画像投射用の光を出射するものであり、画像形成素子３は、ランプ２からの光を反射して画像を形成するものである。投射レンズ４は、画像形成素子３からの反射光すなわち画像形成素子３にて形成された画像を筐体１０の外部に向けて投射するものである。筐体１０の前面には、画像投射用の開口１１が設けられており、投射レンズ４は、画像投射用の開口１１に臨む位置に配置されている。反射ミラー５は、ランプ２から出射される画像投射用の光を反射して、画像形成素子３に照射するものである。
【００１９】
押ボタンスイッチ装置６は、画像のサイズや明るさの調整等、画像表示プロジェクタ１の各種機器動作をキー操作するためのものである。画像表示プロジェクタ１は、複数の押ボタンスイッチ装置６を備えており、これら複数の押ボタンスイッチ装置６は、密集して配置されている。
【００２０】
次に、上記押ボタンスイッチ装置６について、図３（ａ）（ｂ）を参照して説明する。押ボタンスイッチ装置６は、スイッチ２１と、押ボタン部２２と、脚部２３と、ブリッジ部２４と、回路基板２５とを備えている。スイッチ２１は、回路基板２５に実装されており、作動ボタン２９が押し下げられることによりスイッチング動作する。
【００２１】
押ボタン部２２は、スイッチ２１をスイッチング動作させるものであり、凸部３１と、ボス３２と、壁部３３とを有しており、絶縁性のプラスチック材料により一体形成されている。この押ボタン部２２は、脚部２３及びブリッジ部２４を介して回路基板２５に支持されている。脚部２３及びブリッジ部２４は、プラスチックにより押ボタン部２２と一体形成されており、ブリッジ部２４は、弾性を有している。押ボタン部２２は、ブリッジ部２４を介して脚部２３に連結されていることにより、スイッチ２１の上方にて、弾性的に保持されている。また、筐体１０には、キー操作用の開口１２が設けられており、押ボタン部２１の頭部２２ａは、キー操作用の開口１２から露出されている。
【００２２】
凸部３１は、押ボタン部２２の押下操作時にスイッチ２１の作動ボタン２９と接触して、作動ボタン２９を押し下げるためのものであり、押ボタン部２２の下面２２ａの略中央部に突出して形成されている。ボス３２は、押ボタン部２２の押下操作時に回路基板２５に当接して押ボタン部２２の下方移動を規制し、これにより、押ボタン部２２の押し過ぎを防止するものであり、押ボタン部２２の下面２２ａの周縁４箇所（従って、スイッチ２１を囲む複数の位置）に突出して形成されている。
【００２３】
壁部３３は、押ボタン部２２の頭部２２ａ（押ボタン２２の押下操作のために触れられた箇所）とスイッチ２１との間に静電気が発生することを防止するものであり、隣接するボス３２同士を繋いで押ボタン部２２の下面２２ａから連続一体に形成されている。また、壁部３３は、スイッチ２１の全周囲を囲むように、隣接する全てのボス３２同士を繋いで形成されている。壁部３３の厚さは、ボス３２の径よりも薄くなっており、壁部３３の上下方向の長さ（高さ）は、ボス３２の長さよりも僅かに短くなっている。
【００２４】
押ボタンスイッチ装置６は、押ボタン部２２の頭部２２ａを押下すると、ブリッジ部２４が撓んで押ボタン部２２が下方に移動し、押ボタン部２２の凸部３１がスイッチ２１の作動ボタン２９に接触して作動ボタン２９を押し下げ、これにより、スイッチ２１がスイッチング動作される。また、押ボタン部２２が必要以上に下方に移動すると、ボス３２が回路基板２５に当接し、これにより、押ボタン部２２のそれ以上の下方移動が規制されて、押ボタン部２２の押し過ぎが防止される。押ボタン部２２の頭部２２ａの押下を解除すると、押ボタン部２２は、ブリッジ部２４が撓んでいることで生じる弾性力により初期の位置に復帰し、これにより、スイッチ２１のスイッチング動作が解除される。
【００２５】
このような構成の押ボタンスイッチ装置６によれば、押ボタン部２２の頭部２２ａ（すなわち押下操作のために触れられた箇所）から表面に沿ってスイッチ２１（すなわち凸部３１と作動ボタン２９との接触点）に至る経路は、壁部３３の存在により、壁部３３の下端を回り込むことになる。従って、押ボタン部２２の頭部２２ａとスイッチ２１との間の沿面距離は、壁部３３が形成されていない構成に較べて、壁部３３の下端を回り込む分だけ長くなる。これにより、押ボタン部２２の頭部２２ａとスイッチとの間の静電気の発生が防止され、静電対策が施される。しかも、壁部３３はスイッチ２１の全周囲を囲むように形成されているため、押ボタン部２２の頭部２２ａからスイッチ２１に至る全ての経路が壁部３３の下端を廻り込むことになり、静電気の発生がより確実に防止される。また、壁部２２はボス３２同士を繋いで形成されているので、押ボタン部２２は壁部２２を形成していない構成と同じ寸法にでき、従って、押ボタンスイッチ装置６は、静電対策のために寸法を大きくする必要がない。
【００２６】
なお、本発明は、上記実施形態の構成に限られず、種々の変形が可能である。例えば、上記実施形態において、押ボタン部２２のボス３２は、４個に限られず、スイッチ２１を囲むように配置されていれば３個であってもよく、また、６個以上であってもよい。押ボタン部２２の凸部３１は必ずしも必要ではなく、押ボタン部２２の下面２２ｂでスイッチ２１の作動ボタン２９を押し下げるようにしてもよい。また、押ボタンスイッチ装置６は、画像表示プロジェクタ１に限らず、ＡＶ機器等の電子機器にも搭載可能である。
【００２７】
【発明の効果】
以上説明したように請求項１の発明によれば、押ボタン部の下面から連続して形成された壁部を有するため、押ボタン部の頭部とスイッチとの間の静電気の発生を防止でき、これにより、筐体への導電塗装が困難な場合や回路基板へのジャンパー線の配置が困難な場合でも、静電対策を施すことができる。しかも、壁部はスイッチの全周囲を囲むように形成されているため、静電気の発生をより確実に防止でき、より確実な静電対策を施すことができる。また、壁部はボス同士を繋いで形成されているため、押ボタンスイッチ装置の寸法を維持しつつ静電対策を施すことができる。
【００２８】
請求項２の発明によれば、押ボタン部の下面から連続して形成された壁部を有するため、押ボタン部の頭部とスイッチとの間の静電気の発生を防止でき、これにより、筐体への導電塗装が困難な場合や回路基板へのジャンパー線の配置が困難な場合でも、静電対策を施すことができる。しかも、壁部はボス同士を繋いで形成されているため、押ボタンスイッチ装置の寸法を維持しつつ静電対策を施すことができる。
【００２９】
請求項３の発明によれば、壁部がスイッチの全周囲を囲んでいるため、静電気の発生をより確実に防止でき、より確実な静電対策を施すことができる。
【図面の簡単な説明】
【図１】本発明の一実施形態に係る画像表示プロジェクタの概略構成を示す斜視図。
【図２】同画像表示プロジェクタの押ボタンスイッチ装置の構成を示す一部破断した部分拡大斜視図。
【図３】（ａ）は同押ボタンスイッチ装置の構成を示す図１のＰ−Ｐ断面図、（ｂ）は同押ボタンスイッチ装置を下側から見た図
【図４】（ａ）は従来の押ボタンスイッチ装置の構成を示す断面図、（ｂ）は同押ボタンスイッチ装置を下側から見た図。
【符号の説明】
１  画像表示プロジェクタ
２  ランプ
３  画像形成素子
４  投射レンズ
６  押ボタンスイッチ装置
１０  筐体
１２  キー操作用の開口
２１  スイッチ
２２  押ボタン部
２２ａ  押ボタン部の頭部
２２ｂ  押ボタン部の下面
２３  脚部
２４  ブリッジ部
２５  回路基板
２９  作動ボタン
３１  凸部
３２  ボス
３３  壁部
【図１】
2005026053.tif 000003
【図２】
2005026053.tif 000004
【図３】
2005026053.tif 000005
【図４】
2005026053.tif 000006